(57)【要約】【課題】押し釦の隙間にゴミがある場合に、押し釦の隙間の位置に合わせて押し釦の隙間部分のゴミを除去して、清掃作業効率を改善することができるエレベータ押し釦清掃用具を提供する。【解決手段】エレベータ押し釦清掃用具１０は、機械的に動作する凸型の押し釦１，２と、押し釦１，２と押し釦の枠部６との間に形成されている一方と他方の隙間３に差し込んで移動することで隙間３内のゴミを清掃するエレベータ押し釦清掃用具であって、一方の隙間３に差し込まれる固定部材１１と、固定部材１１に対して移動することで位置調整を行った後に固定部材１１に対して固定可能な移動調整部材１２と、移動調整部材１２に固定されて他方の隙間３に差し込まれて他方の隙間３内のゴミを清掃するための先端部材３０と、を備える。【選択図】図１
2010058918.tif 000002
【特許請求の範囲】
【請求項１】
機械的に動作する凸型の押し釦と前記押し釦の枠部との間に形成されている一方の隙間と、前記押し釦と前記押し釦の枠部との間に形成され前記一方の隙間とは反対位置に形成されている他方の隙間と、に差し込んで移動することで前記他方の隙間内のゴミを清掃するエレベータ押し釦清掃用具であって、
前記一方の隙間に差し込まれる固定部材と、
前記固定部材に対して移動することで位置調整を行った後に前記固定部材に対して固定可能な移動調整部材と、
前記移動調整部材に固定されて前記他方の隙間に差し込まれて前記他方の隙間内の前記ゴミを清掃するための先端部材と、
を備えることを特徴とするエレベータ押し釦清掃用具。
【請求項２】
前記先端部材は、前記移動調整部材に対して着脱自在に固定されており、前記先端部材には、前記他方の隙間内のゴミを除去するためのブラシが設けられていることを特徴とする請求項１に記載のエレベータ押し釦清掃用具。
【請求項３】
前記移動調整部材は、弾性変形可能であり、前記先端部材の厚みは、前記他方の隙間に入り込むように設定されることを特徴とする請求項１または請求項２に記載のエレベータ押し釦清掃用具。
【請求項４】
前記固定部材にはボルト挿入穴が形成され、前記移動調整部材には前記移動調整部材の移動方向に沿って長穴のボルト挿入穴が形成されており、
前記移動調整部材は、前記固定部材に対して前記移動調整部材の前記ボルト挿入穴と前記固定部材の前記ボルト挿入穴に通されたボルトにより固定されていることを特徴とする請求項１〜請求項３のいずれか１つの項に記載のエレベータ押し釦清掃用具。
【請求項５】
前記ブラシの幅は、前記先端部材の厚みと同じであることを特徴とする請求項２に記載のエレベータ押し釦清掃用具。
【発明の詳細な説明】
【技術分野】
【０００１】
本発明は、エレベータ押し釦清掃用具に関し、特に押し釦と押し釦の枠部との間に形成されている隙間に入ったゴミを除去するためのエレベータ押し釦清掃用具に関する。
【背景技術】
【０００２】
一般に、エレベータは、オフィスビルやマンション、工場や倉庫など様々な場所に設置されるが、特にエレベータが工場や倉庫内に設置された場合には、利用者の指に汗や汚れが付着されたままの状態で、利用者が押し釦を操作することがある。
【０００３】
このように、利用者の指に汗や汚れが付着されたままで押し釦を操作する頻度が多い場合や、長年押し釦の操作が繰り返されると、押し釦と押し釦の枠部との間に形成されている隙間の内部には、汗や汚れが軽微なゴミとなって蓄積して粘着してしまう。
【０００４】
エレベータ用押し釦の例は、特許文献１に開示されており、この押し釦は、押し釦操作部に向かって光を照射するように設けられた発光部と、発光部からの光を受光する受光部を備えている。
【特許文献１】特開２００７―２２７２５号公報
【発明の開示】
【発明が解決しようとする課題】
【０００５】
このように、押し釦の隙間の内部には、汗や汚れが軽微なゴミとなって蓄積して粘着してしまうと、押し釦が円滑に動作できなくなり、押し釦の操作性が悪化してしまう。このため、従来では、清掃作業者（保守員）が布で押し釦の周りを拭いたりブラシ等で擦ったりして、ゴミを除去しようとしたり、清掃作業者は必要に応じて押し釦を分解して掃除を行う場合もある。
【０００６】
しかし、押し釦の隙間の軽微なゴミを取り除くために布で押し釦の周りを拭いても、表面側のゴミは取れたとしても、押し釦の隙間の軽微なゴミを取り除くことができなかった。
【０００７】
一方、ブラシ等で擦る場合には、押し釦の隙間のみにブラシを合わせることができないので、押し釦の表面に傷が付いてしまい、押し釦の外観が悪くなってしまう。このような問題が生じるために、押し釦の清掃を行う清掃作業者は、隙間に軽微なゴミが入っていると押し釦を分解して清掃する必要があるので、清掃作業効率が悪いという問題があった。
【０００８】
特許文献１に開示されたエレベータ用押し釦では、隙間に付着したゴミを除去するような構造ではない。
【０００９】
本発明は上記課題を解決するためになされたものであり、本発明の目的は、押し釦の隙間にゴミがある場合に、押し釦の隙間の位置に合わせて押し釦の隙間部分のゴミを除去して、清掃作業効率を改善することができるエレベータ押し釦清掃用具を提供することができる。
【課題を解決するための手段】
【００１０】
本発明のエレベータ押し釦清掃用具は、機械的に動作する凸型の押し釦と前記押し釦の枠部との間に形成されている一方の隙間と、前記押し釦と前記押し釦の枠部との間に形成され前記一方の隙間とは反対位置に形成されている他方の隙間と、に差し込んで移動することで前記他方の隙間内のゴミを清掃するエレベータ押し釦清掃用具であって、前記一方の隙間に差し込まれる固定部材と、前記固定部材に対して移動することで位置調整を行った後に前記固定部材に対して固定可能な移動調整部材と、前記移動調整部材に固定されて前記他方の隙間に差し込まれて前記他方の隙間内の前記ゴミを清掃するための先端部材と、を備えることを特徴とする。
【発明の効果】
【００１１】
本発明によれば、押し釦の隙間にゴミがある場合に、押し釦の隙間の位置に合わせて押し釦の隙間部分のゴミを除去して、清掃作業効率を改善することができるエレベータ押し釦清掃用具を提供することができる。
【発明を実施するための最良の形態】
【００１２】
以下、本発明の実施の形態について図面を参照して詳細に説明する。
【００１３】
図１は、本発明のエレベータ押し釦清掃用具の好ましい実施形態を示す斜視図である。図２は、図１に示すエレベータ押し釦清掃用具が、押し釦と押し釦の枠部との隙間に配置されて、隙間のゴミを除去しようとする様子を示す図である。
【００１４】
図３は、図１と図２に示す押し釦がエレベータの乗り場の壁面に設置されている例を示す図である。図４は、エレベータ押し釦清掃用具の分解斜視図である。
【００１５】
図１と図２に示すエレベータ押し釦清掃用具１０は、エレベータの押し釦１，２の隙間３にはめ込んでＺ方向に移動することで、隙間３内のゴミを除去して清掃する清掃用具である。エレベータ押し釦清掃用具１０は、押し釦１，２を分解することなく、エレベータ押し釦清掃用具１０を配置して移動するだけで、隙間３内のゴミを除去することで清掃することができる。
【００１６】
図３に示すように、隙間３は、エレベータ装置４の上押し釦１と下押し釦２と、エレベータ乗り場の壁面５に配置された表面パネルの枠部６との間に形成されている。上押し釦１と下押し釦２は、押し釦の枠部６の内側に配置されている。上押し釦１と下押し釦２は、例えば凸型の押し釦であり、使用者が手指等で上押し釦１と下押し釦２を図示しないバネ等の付勢手段の力に抗して機械的にＸ方向に押し込み、手指等を離すことで上押し釦１と下押し釦２を付勢手段の力により復帰できるようになっている。
【００１７】
図１と図２に示すように、エレベータ押し釦清掃用具１０は、固定部材１１と、移動調整部材１２と、を有している。固定部材１１は、金属あるいはプラスチックで作られている断面Ｌ字型の部材であり、弾性変形はしない。これに対して、移動調整部材１２は、弾性変形可能な金属あるいはプラスチックにより作られており、断面Ｌ字型の部材である。
【００１８】
図１と図２に示すように、固定部材１１は、差し込み部１３と、連結部１４を有している。差し込み部１３と連結部１４は、共に平板状の部材であり、差し込み部１３はＸ方向に形成され、連結部１４はＹ方向に形成されており、差し込み部１３と連結部１４は直交している。図４に示すように、連結部１４には、１つのボルト挿入穴１５が形成されている。差し込み部１３の厚みＷ１は、隙間３の幅Ｗに比べて小さく設定されている。これにより、差し込み部１３は隙間３内に確実に差し込んで位置決めすることができる。
【００１９】
一方、図１と図２に示すように、移動調整部材１２は、連結部２１と、取り付け部２２を有している。連結部２１と取り付け部２２は、共に平板状の部材であり、連結部２１はＹ方向に形成され、取り付け部２２はＸ方向に形成されている。連結部２１には、１つのボルト挿入穴２３が形成されており、このボルト挿入穴２３は、Ｙ方向に形成された長穴である。連結部２１のボルト挿入穴２３は、固定部材１１の連結部１４のボルト挿入穴１５に対応して形成されている。
【００２０】
図４に示すように、ボルト挿入穴２３とボルト挿入穴１５にはボルト２４が挿入されている。このボルト２４のおねじ２５がナット２６のめねじにかみ合うことにより固定部材１１の連結部１４と移動調整部材１２の連結部２１は、着脱可能に連結することができる。移動調整部材１２の取り付け部２２には、２つのボルト挿入穴２７を有している。
【００２１】
この取り付け用のボルト２４を緩めることにより、移動調整部材１２は、固定部材１１に対して、Ｙ方向に沿って移動して位置決め調整することができる。このように固定部材１１に対する移動調整部材１２の位置決め調整をした後に、再びボルト２４を締め付けることで、移動調整部材１２は固定部材１１に対して固定することができる。
【００２２】
図１と図４に示すように、先端部材３０が、移動調整部材１２の取り付け部２２に対して、複数本のボルト３３とナット３４を用いて着脱して交換可能に固定されている。ボルト３３のおねじがナット３４のめねじにかみ合うことで、先端部材３０が移動調整部材１２の取り付け部２２に対して固定されている。先端部材３０の厚みＷ２は、隙間３の幅Ｗに比べて小さく設定されている。
【００２３】
図２に示すように、差し込み部１３と取り付け部２２と先端部材３０は、Ｘ方向に沿って平行になっている。
【００２４】
図２と図４に示すように、先端部材３０は平板状の部材であり、金属やプラスチックにより形成されている。先端部材３０は、２つのボルト挿入穴２８を有しており、各ボルト挿入穴２８は取り付け部２２のボルト挿入穴２７に対応した位置に形成されている。
【００２５】
先端部材３０の下端部３１には、Ｚ方向に沿ってブラシ３２が設けられている。このブラシ３２は、弾性変形可能な材質、例えばナイロン（登録商標）：ポリアミドのようなプラスチックにより作られており、隙間３内のゴミを除去するために用いられる。
【００２６】
図２に示すように、移動調整部材１２が固定部材１１に対してボルト２４により固定された状態では、移動調整部材１２は弾性変形可能であるので、移動調整部材１２は実線の状態から鎖線で示すように、清掃作業者が移動調整部材１２をＲ方向に沿って持ち上げることができる。
【００２７】
次に、上述した構成のエレベータ押し釦清掃用具１０により、押し釦の隙間３内のゴミを清掃する作業例を説明する。
【００２８】
図２に示すように、移動調整部材１１の取り付け部２２には、先端部材３０がボルト３３とナット３４を用いて固定されている。
【００２９】
固定部材１１の連結部１４と移動調整部材１２の連結部２１は、ボルト２４により固定する際に、移動調整部材１２の連結部２１は、固定部材１１の連結部１４に対してＹ方向に移動して位置調整をすることにより、固定部材１１に対する移動調整部材１２のＹ方向の位置決めを行う。位置調整後には、ボルト２４を締めることで、移動調整部材１２は固定部材１１に固定する
これにより、固定部材１１の差し込み部１３が、一方の隙間３内に差し込まれて位置の基準を定めた後に、先端部材３０の下端部３１が他方の隙間３内に入り込むようにする。すなわち、一方の隙間３と反対側の他方の隙間３との中心間隔Ｔに合わせて、差し込み部１３の中心と先端部材３０の中心とを合わせることができる。従って、平行な一方の隙間３と他方の隙間３の中心間隔Ｔの大小に合わせて、差し込み部１３の中心位置と先端部材３０の中心位置とを合わせることができる。従って、押し釦の種類や形状が異なった場合であっても、固定部材１１の差し込み部１３と先端部材３０の間隔を簡単に調整することができる。
【００３０】
なお、隙間３の幅Ｗは、差し込み部１３の厚みＷ１と、先端部材３０の厚みＷ２よりも少し大きく設定されていることにより、差し込み部１３と先端部材３０は、それぞれ隙間３に対して確実に差し込むことができる。ブラシ３２の幅は、先端部材３０の厚みＷ２と同じである。これにより、ブラシ３２は、隙間３に対して確実に挿入して隙間３内を清掃することができる。
【００３１】
移動調整部材１２は、固定部材１１に対してＹ方向に沿って移動して簡単に位置調整を行った後に固定できる。移動調整部材１２が固定部材１１に対して移動できる距離は、長穴のボルト挿入穴２３のＹ方向の長さである。
【００３２】
固定部材１１に対する移動調整部材１２のＹ方向の位置決め調整を行った後に、ボルト２４とナット２６を用いて固定部材１１の連結部１４と移動調整部材１２の連結部２１の固定を行い、移動調整部材１２が固定部材１１に対して移動しないように締結する。これにより、固定部材１１と先端部材３０との間隔が変化しないように維持できる。
【００３３】
図２に示す隙間３に軽微なゴミが付着した場合には、固定部材１１の差し込み部１３が一方の隙間３に差し込まれて、固定部材１１の差し込み部１３はエレベータ押し釦清掃用具１０をＺ方向に移動させる際のガイド基準となる。
【００３４】
一方、移動調整部材１２の連結部２１は、図２において一点破線で示すように、少し持ち上げながら移動調整部材１２の先端部材３０を他方の隙間３内に案内して挿入することができる。なお、先端部材３０の厚みは、予め隙間３に入り込む値のものが選択されているので、先端部材３０は他方の隙間３内に確実に挿入できる。
【００３５】
そして、図２において清掃作業者は、エレベータ押し釦清掃用具１０をつかみながらＺ方向に沿って移動させることにより、ブラシ３２が隙間３内の軽微なゴミを取り除くことができる。押し釦の隙間にゴミがある場合に、押し釦の隙間の位置に合わせて押し釦の隙間部分のゴミを確実に除去できる。
【００３６】
移動調整部材１２は固定部材１１に対してＹ方向に移動して位置の調整を行えるので、エレベータの機種が異なり押し釦の種類や形状が異なっている場合でも、押し釦の種類や形状の違いに対応して、隙間３内のゴミを確実に清掃することができる。
【００３７】
このように、隙間３内に軽微なゴミが入っている場合には、先端部材３０のブラシ３２が隙間３内を移動するので、このブラシ３２により隙間３内のみのゴミを清掃することができ、押し釦１，２を分解して清掃する必要がない。このため、清掃作業効率を改善することができる。
【００３８】
しかも、図２に示すように、エレベータ押し釦清掃用具１０は、押し釦１，２を股いでおり、押し釦１，２の表面には全く接触しないので、従来の手作業による押し釦の清掃に比べて、押し釦１，２の外観に傷がつくことはなく、押し釦１，２の意匠を当初のまま維持することができる。
【００３９】
ブラシ３２が摩耗した場合には、使用済みの先端部材３０とともにブラシ３２を取り外して、新たなブラシ３２を備える先端部材３０に交換することができる。
【００４０】
なお、隙間３内に先端部材３０のブラシ３２が入らない場合には、隙間３内にゴミが大量に詰まっていることが考えられるために、その場合のみ押し釦１，２を分解して清掃する。
【００４１】
本発明のエレベータ押し釦清掃用具は、エレベータ押し釦清掃用具は、機械的に動作する凸型の押し釦と押し釦の枠部との間に形成されている一方の隙間と、押し釦と押し釦の枠部との間に形成され一方の隙間とは反対位置に形成されている他方の隙間と、に差し込んで移動することで他方の隙間内のゴミを清掃するエレベータ押し釦清掃用具であって、一方の隙間に差し込まれる固定部材と、固定部材に対して移動することで位置調整を行った後に固定部材に対して固定可能な移動調整部材と、移動調整部材に固定されて他方の隙間に差し込まれて他方の隙間内のゴミを清掃するための先端部材と、を備える。これにより、押し釦の隙間にゴミがある場合に、押し釦の隙間の位置に合わせて押し釦の隙間部分のゴミを除去して、清掃作業効率を改善することができる。
【００４２】
先端部材は、移動調整部材に対して着脱自在に固定されており、先端部材には、他方の隙間内のゴミを除去するためのブラシが設けられている。これにより、先端部材が着脱可能に固定されているので、隙間の幅に合わせた先端部材を選択して移動調整部材に固定することができる。しかも、ブラシが摩耗した場合には、使用済みの先端部材のブラシを取り外して、新たなブラシを備える先端部材に交換することができる。
【００４３】
移動調整部材は、弾性変形可能であり、先端部材の厚みは、隙間に入り込むように設定される。これにより、清掃作業者が移動調整部材を持ち上げて曲げることにより、先端部材は隙間に対して確実に入れ込むことができ。清掃作業性が向上する。
【００４４】
固定部材にはボルト挿入穴が形成され、移動調整部材には移動調整部材の移動方向に沿って長穴のボルト挿入穴が形成されており、移動調整部材は、固定部材に対して移動調整部材のボルト挿入穴と固定部材のボルト挿入穴に通されたボルトにより固定されている。これにより、移動調整部材は固定部材に対して長穴のボルト挿入穴に沿って位置を調整することができる。
【００４５】
なお、この発明は、上記実施の形態そのままに限定されるものではなく、実施段階ではその要旨を逸脱しない範囲で構成要素を変形して具体化できる。
【００４６】
例えば、先端部分は、移動調整部材に対してボルトとナットによる固定手段により着脱可能に固定する方式以外に、先端部分が移動調整部材に対して着脱可能にはめ込んで固定する方式を採用することもできる。
【００４７】
さらに、上記実施の形態に開示されている複数の構成要素を適宜組み合わせることにより種々の発明を形成できる。例えば、実施の形態に示される全構成要素から幾つかの構成要素を削除してもよい。更に、異なる実施の形態に亘る構成要素を適宜組み合わせてもよい。
【図面の簡単な説明】
【００４８】
【図１】本発明のエレベータ押し釦清掃用具の好ましい実施形態を示す斜視図である。
【図２】図１に示すエレベータ押し釦清掃用具が、押し釦の隙間に配置されて、隙間のゴミを除去しようとする様子を示す図である。
【図３】図１と図２に示す押し釦がエレベータの乗り場に設置されている例を示す図である。
【図４】エレベータ押し釦清掃用具の分解斜視図である。
【符号の説明】
【００４９】
１，２        エレベータの押し釦
３            隙間
４            エレベータ装置
５            壁面
６            押し釦の枠部
１０          エレベータ押し釦清掃用具
１１          固定部材
１２          移動調整部材
１３          差し込み部
１４          連結部
１５          ボルト挿入穴
２１          連結部
２２          取り付け部
２４          ボルト
２５          おねじ
２６          ナット
２８          ボルト挿入穴
３０          先端部材
３２          ブラシ
３３          ボルト
３４          ナット
【図１】
2010058918.tif 000003
【図２】
2010058918.tif 000004
【図３】
2010058918.tif 000005
【図４】
2010058918.tif 000006